(57)【要約】【課題】新聞製作システム等における紙面情報の面付け処理において、プレートサイズ、対向面、カラー版か否かといった編集項目に対して、オペレータの操作負荷を軽減する。【解決手段】印刷物の構成情報に基づいて各頁がカラー紙面であるか否かを判定し、カラー紙面と判定された頁及びその頁と並んで印刷される対向頁の紙面画像を、１頁分の紙面に相当する標準幅に対して２倍の幅を有するプレートに記録するように制御する制御手段を備える構成とする。【選択図】　　図１
2004110353.tif 000002
【特許請求の範囲】
【請求項１】
表裏それぞれに２頁分の紙面が２つ並べて印刷された２頁大の紙を複数枚重ねて２つ折りにして製作される印刷物の印刷において、その印刷物の構成情報に基づいて各頁がカラー紙面であるか否かを判定し、カラー紙面と判定された頁及びその頁と並んで印刷される対向頁の紙面画像を、１頁分の紙面に相当する標準幅に対して２倍の幅を有するプレートに記録するように制御する制御手段を備えることを特徴とする印刷システム。
【請求項２】
前記印刷物が、表裏それぞれに１頁分の紙面が印刷された１頁大のペラ紙を含む場合には、前記制御手段は、前記ペラ紙に該当する頁を除いて前記各頁の対向頁を決定することを特徴とする請求項１に記載の印刷システム。
【請求項３】
表裏それぞれに２頁分の紙面が２つ並べて印刷された２頁大の紙を複数枚重ねて２つ折りにして製作される印刷物の印刷において、その印刷物の構成情報に基づいて各頁がカラー紙面であるか否かを判定する過程と、カラー紙面と判定された頁及びその頁と並んで印刷される対向頁の紙面画像を、１頁分の紙面に相当する標準幅に対して２倍の幅を有するプレートに記録する過程とを有することを特徴とする印刷方法。
【発明の詳細な説明】
【０００１】
【発明の属する技術分野】
本発明は、新聞製作システム等、ＣＴＰ方式により紙面情報を直接プレートへ出力するに際し、その面付け処理を自動的に行う印刷システム及び印刷方法に関する。
【０００２】
【従来の技術】
一般的な新聞の構成を図９に示す。ここで、図９（ａ）は２つ折りにされた状態の斜視図、（ｂ）はその平面図、（ｃ）は、各新聞紙をばらした見開き状態の平面図である。新聞１は、表裏それぞれに２頁分の紙面２、３、４、５が２つ並べて印刷された２頁大の紙を複数枚重ねて２つ折りにして製作される。図９（ｃ）に示すように、所定の頁及びその頁と並んで印刷される対向頁の各紙面は、通常はモノクロ紙面（モノクロ画像のみで構成される紙面）とカラー紙面（カラー画像を含む紙面）とが適宜組み合わされて構成される。尚、この種の新聞においては、表裏それぞれに１頁分の紙面が印刷された１頁大のペラ紙が、２つ折りにされた２頁大の紙の間に挿入される場合もある。
【０００３】
近年、このような新聞の製作に用いられる新聞製作システム等においては、ＣＴＰ方式によりフィルムを介さず、直接プレートへ紙面情報を出力する方式が主流となっている。このような、ＣＴＰシステムでは、複数台のＣＴＰ装置へ紙面情報を効率的に割り当てるため、ＣＴＰサーバが設けられる。
【０００４】
しかしながら、紙面情報の面付け処理においては、プレートサイズ（１Ｗ２Ｌ、２Ｗ２Ｌ）、対向面、カラー版か否かといった編集項目に基づき、編集加工する必要があり、オペレータの操作によるところが多かった。
【０００５】
【発明が解決しようとする課題】
本発明は、紙面情報の面付け処理において、プレートサイズ［Ａ２プレート（１Ｗ２Ｌ）、Ａ１プレート（２Ｗ２Ｌ）］、対向面、カラー版か否かといった編集項目に対して、オペレータの操作を軽減することが可能な印刷システム及び印刷方法を提供することを目的とする。
【０００６】
【課題を解決するための手段】
上記の目的を果たすために、本発明においては、請求項１に示すとおり、印刷システムは、表裏それぞれに２頁分の紙面が２つ並べて印刷された２頁大の紙を複数枚重ねて２つ折りにして製作される印刷物の印刷において、その印刷物の構成情報に基づいて各頁がカラー紙面であるか否かを判定し、カラー紙面と判定された頁及びその頁と並んで印刷される対向頁の紙面画像を、１頁分の紙面に相当する標準幅に対して２倍の幅を有するプレートに記録するように制御する制御手段を備える構成をとる。
【０００７】
これによれば、新聞製作システム等において、構成情報から各頁がカラー紙面であるか否かを判定し、所定の頁若しくはその頁と並んで印刷される対向頁の何れかがカラー紙面である場合（即ち、印刷用紙に並んで印刷された２つの頁の紙面の何れかがカラー画像を含む場合）には、それらの頁の紙面画像を、１頁分の紙面に相当する標準幅に対して２倍の幅のサイズを有するプレート（例えば、新聞の見開き２頁分の紙面を縦に２つ並べた２Ｗ２Ｌサイズのプレート）に出力するように自動的に制御するので、オペレータが適切なプレートサイズを適宜指定する必要はなく、操作負荷が軽減される。
【０００８】
また、標準幅のサイズを有するプレート（例えば、新聞１頁分の紙面を縦に２つ並べた１Ｗ２Ｌサイズのプレート）を用いて通常の２頁大の新聞の印刷用紙へカラー印刷する場合には、プレートを幅方向に２枚並べて印刷胴に取付ける必要があり、各分色版（Ｃ版、Ｍ版、Ｙ版、Ｋ版）毎に幅方向に並べた２枚のプレートを相互に精度良く位置決めすることが必要となるが、２倍の幅のサイズのプレートを用いることでそのような位置決めは不要となる。従って、印刷工程においてプレートを印刷胴に取付ける際の位置決め等の作業負荷が軽減される。
【０００９】
更に、所定の頁がカラー紙面であり且つその対向頁がモノクロ紙面である場合には、２倍の幅のサイズのプレートを用いることで、カラー紙面のカラー画像が各分色版のカラー版（Ｋ版を除くＣ版、Ｍ版、Ｙ版）に出力される一方で、それらのカラー版において、カラー画像を含まないモノクロ紙面に該当する部分は、水版部として構成されるので、標準幅のサイズのプレートを用いて印刷を行う場合のように、カラー紙面の印刷のために印刷胴に各カラー版を取付ける一方で、カラー印刷不要なモノクロ紙面に対しては別途水版を取付ける必要が生じるといった不都合を解消できる。
【００１０】
上記印刷システムにおいては、請求項２に示すとおり、印刷物が、表裏それぞれに１頁分の紙面が印刷された１頁大のペラ紙を含む場合には、制御手段は、ペラ紙に該当する頁を除いて各頁の対向頁を決定することを特徴とする。
【００１１】
これによれば、印刷物に含まれるペラ紙に該当する頁を除き、各頁についてその対向頁が決定されるので、印刷物にペラ紙が含まれる場合でも各頁に対して適切に対向頁を決定することができる。
【００１２】
また、本発明においては、請求項３に示すとおり、印刷方法は、表裏それぞれに２頁分の紙面が２つ並べて印刷された２頁大の紙を複数枚重ねて２つ折りにして製作される印刷物の印刷において、その印刷物の構成情報に基づいて各頁がカラー紙面であるか否かを判定する過程と、カラー紙面と判定された頁及びその頁と並んで印刷される対向頁の紙面画像を、１頁分の紙面に相当する標準幅に対して２倍の幅を有するプレートに記録する過程とを有する構成をとる。
【００１３】
【発明の実施の形態】
以下に添付の図面を参照して本発明の実施の形態について詳細に説明する。
【００１４】
図１は、本発明のＣＴＰシステム（印刷システム）の概略構成を示す図である。このＣＴＰシステムは、新聞製作に用いられるのもであり、記事等の紙面画像データからなる紙面情報及び構成情報（各頁及びその対向頁情報、プレートサイズ情報、各紙面のカラー情報等を含む）を取り込むための外部ネットワークの接続部に配置された入力ゲートウェイ（ＧＷ）１１０ａ、１１０ｂと、印刷工程全般の運用を管理し、紙面情報及び構成情報を含めた種々の情報の蓄積及び編集を行うＣＴＰサーバ２００と、オペレータが種々の操作を実行するためのコンソールＰＣ１５０と、紙面画像をプレート（ＣＴＰ版）に記録するためのＣＴＰ装置１３０ａ−１３０ｘと、各ＣＴＰ装置を制御するためのＣＴＰコントローラ１２０ａ−１２０ｘとを備える。
【００１５】
ＣＴＰサーバ２００は、紙面情報及び構成情報を外部ネットワークから受信することによって、或いはオペレータによる直接の入力によって取得し、構成情報（詳細は後述）を参照して、各頁がカラー紙面であるか否かを判定し、カラー紙面であると判定された頁及びその対向頁（即ち、新聞の見開き２頁）が出力されるプレートのサイズ情報を、１頁分の紙面に相当する標準幅を有する初期設定のＡ２プレートサイズ（新聞１頁分の紙面を縦に２つ並べた１Ｗ２Ｌサイズ）からその２倍の幅を有するＡ１プレートサイズ（新聞の見開き２頁分の紙面を縦に２つ並べた２Ｗ２Ｌサイズ）に変更する。つまり、図２（ａ）及び（ｂ）に示すように、新聞の一面の頁の対向頁が四十面である場合、一面若しくは四十面又はその双方がカラー紙面であると判定されれば、プレートのサイズ情報は、一面及び四十面についての初期設定サイズであるＡ２プレート３０１からＡ１プレート３０２へと変更され、一面及び四十面の紙面画像が共にＡ１プレート３０２に出力されることになる。ここで、各頁及びその対向頁は、新聞にペラ紙（表裏それぞれに１頁分の紙面が印刷された１頁大のサイズを有する印刷用紙）が含まれる場合には、そのペラ紙に該当する頁を除き、各頁についてその対向頁が決定される。ペラ紙の有無の情報については、予め構成情報に含まれるか、或いはオペレータの操作によって適宜構成情報に追加される場合もあり得る。
【００１６】
プレートサイズ情報が変更された構成情報は、その情報に基づき紙面画像のプレートへの出力を適切に制御すべく、ＣＴＰサーバ２００から各ＣＴＰコントローラ１２０ａ−１２０ｘに送られ、更に、各ＣＴＰ装置１３０ａ−１３０ｘにおいて記録処理が完了した後のプレートは、輪転機３００に取付けられて印刷用紙への印刷が行われる。
【００１７】
従って、カラー紙面を出力する場合には、２倍幅のサイズを有するＡ１プレートが自動的に選択されるので、オペレータが適切なプレートサイズを適宜指定する必要はない。また、標準幅のサイズを有するプレートを用いて通常の２頁大の新聞の印刷用紙へカラー印刷する場合には、プレートを幅方向に２枚並べて印刷胴に取付ける必要があり、各分色版（Ｃ版、Ｍ版、Ｙ版、Ｋ版）毎に幅方向に並べた２枚のプレートを相互に精度良く位置決めすることが必要となるが、そのような位置決めは不要となる。更に、所定の頁がカラー紙面であり且つその対向頁がモノクロ紙面である場合には、２倍の幅のサイズのプレートを用いることで、カラー紙面のカラー画像が各分色版のカラー版（Ｋ版を除くＣ版、Ｍ版、Ｙ版）に出力される一方で、それらのカラー版において、カラー画像を含まないモノクロ紙面に該当する部分は、水版部として構成されるので、標準幅のサイズのプレートを用いて印刷を行う場合のように、カラー紙面の印刷のために印刷胴に各カラー版を取付ける一方で、カラー印刷不要なモノクロ紙面に対して別途水版を取付ける必要はない。
【００１８】
図３は、本発明で用いられる紙面の構成情報のテーブルの一例を示す図である。この構成情報テーブルには、「版名」、「面名」、「頁」、「カラー」、「対向頁」、及び「プレート情報」等の各項目が含まれる。「版名」は、版の番号、「面名」は、紙面の番号、「頁」及び「対向頁」は、頁番号及びその対向頁番号をそれぞれ示すものである。また、「カラー」は、各頁がカラー紙面であるかか否かを示すものであり、記号”ＣＭＹＫ”は、該当頁がカラー紙面であり、Ｃ版、Ｍ版、Ｙ版及びＫ版の各分色版が作成されることを表す。更に、「プレート情報」は、プレートサイズの情報であり、記号”Ａ２→Ａ１”は、初期設定のＡ２プレートからＡ１プレートへのプレートサイズの変更を表す。尚、説明の便宜のために、モノクロ紙面の表示及び対向頁についての記載は一部省略されている。
【００１９】
図３において、１頁（一面）及びその対向頁である４０頁（四十面）、並びに２０頁（二十面）及びその対向頁である２１頁（二十一面）は、全てカラー紙面であり、従って、プレートサイズ情報は、前述のように初期設定のＡ２からＡ１に変更されている。また、１６頁（十六面）及びその対向頁である２５頁（二十五面）は、１６頁のみがカラー紙面であり、従って、プレートサイズは、初期設定のＡ２からＡ１に変更されている。
【００２０】
図４は、本発明で用いられる紙面の構成情報のテーブルの別の例を示す図である。このテーブルは、構成紙面の中央部（即ち、２１頁及び２２頁）にペラ紙を含む点において図３のテーブルと異なる。テーブルの記載項目は、図３の場合と同様であるが、「備考」における記号”ペラ”は該当頁がペラ紙であることを示すものであり、その他の頁は対向頁を有する通常の２頁大の紙となる。
【００２１】
図において、２１頁（二十一面）及び２２頁（二十二面）はペラ紙であり、そのペラ紙に該当する頁を除き、各頁についてその対向頁が決定される。図３の場合と同様に、２０頁（二十面）及びその対向頁である２３頁（二十三面）は、ともにカラー紙面であり、従って、プレートサイズは、Ａ２からＡ１に変更されている。
【００２２】
図５及び図６は、本発明で用いられる紙面の構成情報のテーブルの更に別の例をそれぞれ示す図である。これらのテーブルは、ペラ紙が必ずしも構成紙面の中央部に位置せず、複数のペラ紙を含む点において図４のテーブルと異なるが、テーブルの記載事項については同様である。ここで、対向頁の決定においては、ペラ紙に該当する頁を除いて頁番号を再度割当てた仮の頁番号である「割当頁」及びその対向頁である「割当対向頁」が用いられる。また、プレートサイズの変更については、上述の場合と同様である。
【００２３】
図７は、本発明の印刷方法の一実施形態における面付け処理過程のフロー図を示す。この処理過程は、ペラ紙の有無を上位システム（即ち、紙面情報）若しくはオペレータによっては認識できず、また、ペラ紙が含まれる場合には必ず新聞の中央（即ち、印刷用紙を複数重ねて２つ折りした印刷物の中央）に１枚のみが挿入されることを前提条件とする。
【００２４】
面付け処理が開始されると、ステップ５０１において紙面の構成情報（例えば、図３若しくは図４参照）から全紙面を構成する頁数（ｎ）が取得される。次にステップ５０２においてペラ紙が含まれるか否かを、取得した頁数（ｎ）が４で割り切れるか否かによって判定し、ｎが４で割り切れない場合には、ステップ５０３に進んで各頁の調査範囲が１から［（ｎ／２）−１）］までに指定され、一方で、ｎが４で割り切れる場合には、ステップ５０４に進んで調査範囲が１から（ｎ／２）までに指定される。以後、各頁について１から順に調査範囲内において面付け処理のステップが実施される。
【００２５】
次にステップ５０５において紙面の構成情報から自頁（即ち、現在の処理対象頁）がカラー紙面であるか否かが判定され、自頁がカラー紙面である場合には、ステップ５０６に進んで対向頁（ｍ）が算出される（ここで、ｍ＝（ｎ＋１）−（自頁数））。そこで、ステップ５０７において対向頁についての情報が取得され、ステップ５０８において対向頁がカラー紙面であるか否かが判定される。対向頁がカラー紙面である場合には、ステップ５１２に進んで自頁及びその対向頁のカラー画像が各Ａ１プレートのカラー版（Ｃ版、Ｍ版、Ｙ版）に共に出力される（即ち、２つのカラー紙面が２Ｗ合成される）。一方、対向頁がモノクロ紙面である場合には、ステップ５１３に進み、自頁のカラー画像が各Ａ１プレートのカラー版（Ｃ版、Ｍ版、Ｙ版）に出力される一方で、それらの各カラー版において、カラー画像を含まない対向頁のモノクロ紙面に該当する部分は水版部として構成される（即ち、Ｃ版と水版、Ｍ版と水版、及びＹ版と水版が２Ｗ合成される）。
【００２６】
また、ステップ５０５において自頁がモノクロ紙面と判定された場合には、ステップ５０６、５０７及び５０８と同様のステップ５０９、５１０及び５１１が実行され、ステップ５１１において、対向頁がカラー紙面である場合には、ステップ５１３に進み、対向頁のカラー画像が各Ａ１プレートのカラー版（Ｃ版、Ｍ版、Ｙ版）に出力される一方で、それらの各カラー版において、カラー画像を含まない自頁のモノクロ紙面に該当する部分は水版部として構成される。一方、対向頁がモノクロ紙面である場合には、ステップ５１４に進み、プレートサイズは初期設定のまま変更されず、自頁及びその対向頁は、それぞれ別個にＡ２プレートに出力される（即ち、２Ｗ合成なし）。尚、カラー紙面及びモノクロ紙面のモノクロ画像は、モノクロ版（Ｋ版）に共に出力される。
【００２７】
最後に、ステップ５１５において、次頁（即ち、次の処理対象頁）が調査範囲内であるか否かが判定され、調査範囲内であれば、ステップ５０５に戻って次頁についても同様のステップが実行される。上述のような一連のステップは、調査範囲内の全頁についての処理が完了するまで繰り返し実行される。
【００２８】
図８は、本発明の印刷方法の別の実施形態における面付け処理過程のフロー図を示す。この処理過程は、上位システム若しくはオペレータによってペラ紙の有無及びその枚数を予め認識可能であることを前提条件とする。
【００２９】
面付け処理が開始されると、ステップ６０１において紙面の構成情報（例えば、図５若しくは図６参照）から全紙面を構成する頁数（ｎ）が取得される。次にステップ６０２においてペラ紙が含まれるか否かを判定し、ペラ紙が含まれる場合にはステップ６０３に進んでペラ紙に該当する頁数（ｘ）を取得し、ステップ６０４において各頁の調査範囲について、ペラ紙に該当する頁を除いて頁番号を再度割当てた仮の頁番号である割当頁の調査範囲が１から［（ｎ−ｘ）／２］までの範囲に指定される。一方、ペラ紙を含まない場合には、ステップ６０５において割当頁が１から（ｎ／２）までの範囲に指定される。以後、各割当頁について１から順に調査範囲内において面付け処理のステップが実施される。
【００３０】
次にステップ６０６において現割当頁（即ち、現在の処理対象頁）がペラ紙であるか否かが判定され、ペラ紙であると判定された場合には、ステップ６１６に進んで現割当頁の紙面画像がＡ２プレートに出力される（即ち、２Ｗ合成なし）。一方、ステップ６０６において現割当頁がペラ紙でないと判定された場合には、ステップ６０７に進んで紙面の構成情報から現割当頁がカラー紙面であるか否かが判定される。現割当頁がカラー紙面である場合には、ステップ６０８に進んで割当対向頁が決定される。そこでステップ６０９において割当対向頁についての情報が取得され、ステップ６１０において割当対向頁がカラー紙面であるか否かが判定される。割当対向頁がカラー紙面である場合には、ステップ６１４に進んで割当頁及び割当対向頁のカラー画像が各Ａ１プレートのカラー版（Ｃ版、Ｍ版、Ｙ版）に共に出力される（即ち、２つのカラー紙面が２Ｗ合成される）。一方、割当対向頁がモノクロ紙面である場合には、ステップ６１５に進み、割当頁のカラー画像が各Ａ１プレートのカラー版（Ｃ版、Ｍ版、Ｙ版）に出力される一方で、それらの各カラー版において、カラー画像を含まない割当対向頁のモノクロ紙面に該当する部分は水版部として構成される（即ち、Ｃ版と水版、Ｍ版と水版、及びＹ版と水版が２Ｗ合成される）。
【００３１】
ステップ６０７において現割当頁がモノクロ紙面であると判定された場合には、ステップ６０８、６０９及び６１０と同様のステップ６１１、６１２及び６１３が実行され、ステップ６１３において、その割当対向頁がカラー紙面である場合には、ステップ６１５に進み、割当対向頁のカラー画像が各Ａ１プレートのカラー版（Ｃ版、Ｍ版、Ｙ版）に出力される一方で、それらの各カラー版において、現割当頁のモノクロ紙面に該当する部分は水版部として構成される。一方、割当対向頁がモノクロ紙面である場合には、ステップ５１４に進み、プレートサイズは初期設定のまま変更されず、割当頁及びその割当対向頁は、それぞれ別個にＡ２プレートに出力される（即ち、２Ｗ合成なし）。尚、カラー紙面及びモノクロ紙面のモノクロ画像は、モノクロ版（Ｋ版）に共に出力される。
【００３２】
最後に、ステップ６１７において次の割当頁が調査範囲内であるか否かが判定され、調査範囲内であれば、ステップ６０６に戻って次の割当頁についても同様のステップが実行される。上述のような一連のステップは、調査範囲内の全割当頁についての処理が完了するまで繰り返し実行される。
【００３３】
【発明の効果】
以上のように、本発明によれば、構成情報から各頁がカラー紙面であるか否かを判定し、所定の頁若しくはその対向頁の何れかがカラー紙面である場合には、それらの頁の紙面画像を、２倍幅のサイズのプレートに出力するように自動的に制御するので、オペレータは、適切なプレートサイズを適宜指定する必要はなく、操作負荷が軽減される。また、印刷工程においてプレートを印刷胴に取付ける際の位置決め等の作業負荷が軽減される。更に、所定の頁がカラー紙面であり且つその対向頁がモノクロ紙面である場合には、そのカラー画像が出力されるカラー版（Ｋ版を除くＣ版、Ｍ版、Ｙ版）において、モノクロ紙面に該当する部分は水版部として形成されるので、カラー紙面の印刷のために印刷胴に各カラー版を取付ける一方で、カラー印刷不要なモノクロ紙面に対して別途水版を取付ける必要が生じるといった不都合を解消できる。
【図面の簡単な説明】
【図１】本発明のＣＴＰシステムの概略構成図
【図２】プレートサイズに関する説明図
【図３】本発明で用いられる紙面の構成情報のテーブルの例を示す図
【図４】本発明で用いられる紙面の構成情報のテーブルの別の例を示す図
【図５】本発明で用いられる紙面の構成情報のテーブルの更に別の例を示す図
【図６】本発明で用いられる紙面の構成情報のテーブルの更に別の例を示す図
【図７】本発明の印刷方法の一実施形態における面付け処理過程のフロー図
【図８】本発明の印刷方法の別の実施形態における面付け処理過程のフロー図
【図９】一般的な新聞の構成を示す図
【符号の説明】
１１０ａ、１１０ｂ　入力ゲートウェイ
１３０ａ−１３０ｘ　ＣＴＰ装置
１２０ａ−１２０ｘ　ＣＴＰコントローラ
１５０　コンソールＰＣ
２００　ＣＴＰサーバ
３００　輪転機
３０１　Ａ２プレート
３０２　Ａ１プレート
【図１】
2004110353.tif 000003
【図２】
2004110353.tif 000004
【図３】
2004110353.tif 000005
【図４】
2004110353.tif 000006
【図５】
2004110353.tif 000007
【図６】
2004110353.tif 000008
【図７】
2004110353.tif 000009
【図８】
2004110353.tif 000010
【図９】
2004110353.tif 000011